(57)【要約】【課題】ＶＣＲナローミスコンバーゼンスを発生させずにＹＨクロスミスコンバーゼンスの補正を可能にする偏向ヨークを提供する。【解決手段】補正回路１５Ａは、第１乃至第４の磁界補正コイル１〜４と３端子可変抵抗器２０とからなり、第１，第２の磁界補正コイル１，２の直列回路と、２つの固定端子のそれぞれに第４，第３の磁界補正コイル４，３を接続した直列回路とを並列に接続し、可動端子Ｔ１を第１，第２の磁界補正コイル１，２の接続点Ｐに接続した構成にする一方、垂直偏向コイル１２，１３と第１，第２の磁界補正コイル１，２とを直列に接続すると共に、第１，第３の磁界補正コイル１，３を第１のコア１４Ａに巻回し、第２，第４の磁界補正コイル２，４を第２のコア１４Ｂに巻回し、第１，第２のコア１４Ａ，１４Ｂをネック部５１ｃを挟んで対向配置した。【選択図】　　　図１
2004040158.tif 000002
【特許請求の範囲】
【請求項１】
円筒状のネック部を有する略漏斗状であって、
垂直偏向回路と、
一対の垂直偏向コイルと、
前記垂直偏向コイルと直列に接続したコンバーゼンス補正回路とを備えた偏向ヨークにおいて、
前記コンバーゼンス補正回路を、
第１乃至第４の磁界補正コイルと、
２つの固定端子と１つの可動端子とを有する３端子可変抵抗器とで構成し、
前記第１の磁界補正コイルと前記第２の磁界補正コイルとの直列回路と、
前記２つの固定端子のそれぞれに前記第４の磁界補正コイルと前記第３の磁界補正コイルとを接続した直列回路とを、前記第１の磁界補正コイルと前記第４の磁界補正コイルとを接続した並列接続にし、
前記可動端子を前記第１の磁界補正コイルと前記第２の磁界補正コイルとの接続点に接続した回路構成にする一方、
前記垂直偏向コイルと前記第１及び第２の磁界補正コイルとを直列に接続すると共に、
前記第１及び第３の磁界補正コイルを第１のコアに巻回し、
前記第２及び第４の磁界補正コイルを第２のコアに巻回し、
前記第１のコアと前記第２のコアとを前記ネック部を挟んで対向するように配置したことを特徴とする偏向ヨーク。
【請求項２】
前記コンバーゼンス補正回路は、固定抵抗器を前記可動端子と前記接続点との間に接続してあることを特徴とする請求項１記載の偏向ヨーク。
【請求項３】
前記コンバーゼンス補正回路は、固定抵抗器を、前記第４の磁界補正コイル及び前記第３の磁界補正コイルのそれぞれに、直列接続してあることを特徴とする請求項１又は請求項２記載の偏向ヨーク。
【請求項４】
前記第１の磁界補正コイルの巻数に対する前記第３の磁界補正コイルの巻数の比率及び前記第２の磁界補正コイルの巻数に対する前記第４の磁界補正コイルの巻数の比率が共に０．５以上かつ１．５以下であることを特徴とする請求項１乃至３のいずれか１項に記載の偏向ヨーク。
【発明の詳細な説明】
【０００１】
【発明の属する技術分野】
本発明は、テレビジョン受像機やディスプレイ装置等のカラー受像管を用いた画像表示装置に用いられる偏向ヨークに係り、特に、ミスコンバーゼンスを補正する構造に関する。
【０００２】
【従来の技術】
偏向ヨークをネック部に装着した３電子銃インライン型カラー受像管（以下ＣＲＴと呼ぶ）を用いた画像表示装置においては、３本の電子銃から発せられるＲ（赤），Ｇ（緑），Ｂ（青）の３つの電子ビームをスクリーン面上（画面上）に良好に集中（コンバーゼンス）させるための方法の１つとして、セルフコンバーゼンス方式の偏向ヨークを用いる方法がある。
このセルフコンバーゼンス方式の偏向ヨークは、一般的に、上下一対の水平偏向コイルと左右一対の垂直偏向コイルとから構成され、これらの偏向コイルによりピンクッション形の水平偏向磁界とバレル形の垂直偏向磁界とを形成して、良好なコンバーゼンス特性を得る構成になっている。
【０００３】
しかし、実際に大量生産される偏向ヨークでは、偏向コイルの特性のばらつき等によりミスコンバーゼンスが生じるため、磁性片を偏向コイルの適切な位置に貼り付けたり、搭載した補正回路により磁界を変化させることでこのミスコンバーゼンスの補正を行っている。
【０００４】
図１４（ａ），図１４（ｂ）は、垂直偏向磁界のばらつきによって生じる代表的なミスコンバーゼンスを示している。
図１４（ａ）は、「Ｙ軸のＲ（赤）左倒れ」と称するミスコンバーゼンスパターンを、また、図１４（ｂ）は、「Ｙ軸のＲ（赤）右倒れ」と称するミスコンバーゼンスパターンを示したもので、図中の実線はＲ（赤）の縦線の輝線を、点線はＢ（青）の縦線の輝線を表わしている。
通常これらのミスコンバーゼンスは総じてＹＨクロスミスコンバーゼンスと呼ばれている。
【０００５】
このＹＨクロスミスコンバーゼンスを補正するための、従来の補正回路の一例を図１０に示す。当図においては、垂直偏向回路１５６の出力に一対の垂直偏向コイル１１２，１１３及び補正回路１１５が直列に接続されている。
補正回路１１５は、第１，第２の磁界補正コイル１０１，１０２を直列に接続し、その接続点Ｐに３端子可変抵抗器２０の可動端子Ｔ１を抵抗器１１１を介して接続したものである。なお、電子ビームを画面上側に偏向する場合の垂直偏向電流の向きを実線の矢印Ｓ１として、また、画面下側に偏向する場合の垂直偏向電流の向きを破線の矢印Ｓ２として示している。
【０００６】
図１６に、この補正回路１１５を搭載した偏向ヨークを示す。
磁界補正コイル１０１はコ字状の磁気コア１１４Ａに巻回され、図１６に示すように偏向ヨークのネック部１５１Ｃにおける、水平軸（Ｘ軸）よりも上側のＹ軸上に配置されている。
一方、磁界補正コイル１０２は、磁界補正コイル１０１と同様にコ字状の磁気コア１１４Ｂに巻回され、前記Ｘ軸よりも下側のＹ軸上に磁気コア１１４Ａと対向するように配置される。
この構成において、可変抵抗器２０の抵抗を可変させてＹＨクロスミスコンバーゼンスの補正を行っている。
【０００７】
【発明が解決しようとする課題】
ところで、セルフコンバーゼンス方式の偏向ヨークでは、垂直偏向コイルから発生されるバレル形の垂直偏向磁界により、図１５（ａ）に示すようにＧ（緑）の横線（図では破線）がＲ（赤）やＢ（青）の横線よりも内側にずれる通常ＶＣＲナローと呼ばれるミスコンバーゼンスが生じる。
そこで、磁界補正コイル１０１，１０２によりピンクッション磁界を発生させてＧ（緑）ビームにＲ（赤）及びＢ（青）ビームよりも強い垂直偏向力を与えることで、ＶＣＲナローミスコンバーゼンスを補正している。以下、この補正について図１０〜図１３を用いて説明する。
【０００８】
図１１〜図１３は、図１６に示すような従来の偏向ヨークを、ＣＲＴ５４のネック部に装着した状態で、磁気コア１１４Ａ，１１４Ｂを配置した位置をスクリーン側から見た概略断面図であり、図１１（ａ）〜図１３（ａ）は画面の上側への偏向時、図１１（ｂ）〜図１３（ｂ）は画面の下側への偏向時について示している。
【０００９】
図１１（ａ）及び図１１（ｂ）は、３端子可変抵抗器２０の可動端子Ｔ１がセンターにある場合に、電子ビームの画面上側及び下側への偏向時に磁界補正コイル１０１，１０２が発生する磁界Ｍ１，Ｍ２と、それにより電子ビームが受ける力とその方向を示している。
図１２（ａ）及び図１２（ｂ）は、３端子可変抵抗器２０の可動端子Ｔ１をセンターから図１０における上方向（矢印１６）に移動させた場合の、電子ビームの画面上側及び下側への偏向時に磁界補正コイル１０１，１０２が発生する磁界Ｍ１，Ｍ２と、それにより電子ビームが受ける力とその方向を示している。
図１３（ａ）及び図１３（ｂ）は、３端子可変抵抗器２０の可動端子Ｔ１をセンターから図１０における下方向（矢印１７）に移動させた場合の、電子ビームの画面上側及び下側への偏向時に磁界補正コイル１０１，１０２が発生する磁界Ｍ１，Ｍ２と、それにより電子ビームが受ける力とその方向を示している。
図１１〜図１３において、磁界Ｍ１，Ｍ２の強さは、理解を容易にするため便宜的に弱，基準，強の３段階にしてそれぞれ破線，実線，太実線で表している。
【００１０】
３端子可変抵抗器２０の可動端子Ｔ１がセンターにある場合は、偏向電流が矢印Ｓ１，Ｓ２のいずれの方向に流れても第１，第２の磁界補正コイル１０１，１０２に流れる電流は等しくなる。
従って、図１１（ａ），図１１（ｂ）に示すような上下対称のピンクッション磁界Ｍ１，Ｍ２が発生する。
この磁界Ｍ１，Ｍ２は、Ｒ，Ｂの電子ビームに対してＸ軸方向の逆向きの力をそれぞれに与えるが、これらの力は強さが同じで互いに打ち消し合うのでＲ，Ｂの電子ビームはＸ軸方向には変化しない。
そのため、ＹＨクロスミスコンバーゼンスの補正はされないが、中央のＧの電子ビームに対してＲ，Ｂの電子ビームよりも強いＹ軸方向の力を与えるので、ＶＣＲナローミスコンバーゼンスが補正される。
【００１１】
次に、３端子可変抵抗器２０の可動端子Ｔ１を図１０の矢印１６の方向に移動させると、第２の磁界補正コイル１０２に流れる電流よりも、第１の磁界補正コイル１０１に流れる電流のほうが少なくなる。
従って、この場合の磁界は、第１の磁界補正コイル１０１側の磁界Ｍ１が弱くなって、図１２（ａ），図１２（ｂ）に示すような上下非対称のピンクッション磁界となる。
【００１２】
そして、画面上側への偏向時（図１２（ａ）参照）は、各電子ビームは、Ｙ軸の正方向に偏向されると共に、Ｒの電子ビームはＸ軸の正方向（図の右方向）に、Ｂの電子ビームはＸ軸の負方向（図の左方向）にそれぞれ偏向される。
また、画面下側への偏向時（図１２（ｂ）参照）は、各電子ビームは、Ｙ軸の負方向に偏向されると共に、Ｒの電子ビームはＸ軸の負方向に、Ｂの電子ビームはＸ軸の正方向にそれぞれ偏向される。
従って、これらの偏向により、図１４（ａ）に示すＲ（赤）左倒れミスコンバーゼンスを補正することができる。
【００１３】
しかしながら、第１の磁界補正コイル１０１に流れる電流が少なくなることから、上述したピンクッション磁界が弱くなって図１５（ａ）に示すような顕著なＶＣＲナローミスコンバーゼンスが発生してしまうという問題があった。
【００１４】
一方、３端子可変抵抗器２０の可動端子Ｔ１を図１０の矢印１７の方向に移動させると、第１の磁界補正コイル１０１に流れる電流よりも、第２の磁界補正コイル１０２に流れる電流の方が少なくなる。
従って、この場合の磁界は、第２の磁界補正コイル１０２側の磁界Ｍ２が弱くなって、図１３（ａ），図１３（ｂ）に示すような上下非対称なピンクッション磁界となる。
【００１５】
そして、画面上側への偏向時（図１３（ａ）参照）は、各電子ビームは、Ｙ軸の正方向に偏向されると共に、Ｒの電子ビームはＸ軸の負方向（図の左方向）に、Ｂの電子ビームはＸ軸の正方向（図の右方向）にそれぞれ偏向される。
また、画面下側への偏向時（図１３（ｂ）参照）は、各電子ビームは、Ｙ軸の負方向に偏向されると共に、Ｒの電子ビームはＸ軸の正方向に、Ｂの電子ビームはＸ軸の負方向にそれぞれ偏向される。
従って、これらの偏向により、図１４（ｂ）に示すＲ（赤）右倒れミスコンバーゼンスを補正することができる。
【００１６】
しかしながら、第２の磁界補正コイル１０２に流れる電流が少なくなることから、この場合も、上述したピンクッション磁界が弱くなって図１５（ａ）に示すような顕著なＶＣＲナローミスコンバーゼンスが発生してしまうという問題があった。
【００１７】
このＶＣＲナローミスコンバーゼンスと、図１５（ｂ）に示すようなＧ（緑）がＲ（赤）やＢ（青）に対して外側にずれてしまうＶＣＲワイドミスコンバーゼンスとを含めたＶＣＲミスコンバーゼンスは、そのずれ量を画面上で可能な限り±０．０３０ｍｍ以内に抑えることが望まれている。
【００１８】
上述のように、図１０に示す従来回路では、３端子可変抵抗器２０の可動端子Ｔ１を移動させることによりＹＨクロスミスコンバーゼンスの補正を行うことができるが、同時に磁界補正コイル１０１あるいは磁界補正コイル１０２に流れる電流が少なくなってピンクッション磁界が弱くなることからＶＣＲミスコンバーゼンス補正量が減少し、その結果、±０．０３０ｍｍを遙かに越えた顕著なＶＣＲナローミスコンバーゼンスが発生してしまうという問題があった。
【００１９】
そこで本発明が解決しようとする課題は、ＶＣＲナローミスコンバーゼンスを発生させずにＹＨクロスミスコンバーゼンスの補正を可能にする偏向ヨークを提供することにある。
【００２０】
【課題を解決するための手段】
上記の課題を解決するために、本願発明は手段として次の構成を有する。
即ち、請求項１は、円筒状のネック部５１ｃを有する略漏斗状であって、垂直偏向回路５６と、一対の垂直偏向コイル１２，１３と、前記垂直偏向コイル１２，１３と直列に接続したコンバーゼンス補正回路１５Ａ，１５Ｂ，１５Ｃとを備えた偏向ヨークにおいて、前記コンバーゼンス補正回路１５Ａ，１５Ｂ，１５Ｃを、第１乃至第４の磁界補正コイル１〜４と、２つの固定端子Ｔ２，Ｔ３と１つの可動端子Ｔ１とを有する３端子可変抵抗器２０とで構成し、前記第１の磁界補正コイル１と前記第２の磁界補正コイル２との直列回路と、前記２つの固定端子Ｔ２，Ｔ３のそれぞれに前記第４の磁界補正コイル４と前記第３の磁界補正コイル３とを接続した直列回路とを、前記第１の磁界補正コイル１と前記第４の磁界補正コイル４とを接続した並列接続にし、前記可動端子Ｔ１を前記第１の磁界補正コイル１と前記第２の磁界補正コイル２との接続点Ｐに接続した回路構成にする一方、前記垂直偏向コイル１２，１３と前記第１及び第２の磁界補正コイル１，２とを直列に接続すると共に、前記第１及び第３の磁界補正コイル１，３を第１のコア１４Ａに巻回し、前記第２及び第４の磁界補正コイル２，４を第２のコア１４Ｂに巻回し、前記第１のコア１４Ａと前記第２のコア１４Ｂとを前記ネック部５１ｃを挟んで対向するように配置したことを特徴とする偏向ヨークであり、
請求項２は、前記コンバーゼンス補正回路１５Ａ，１５Ｂ，１５Ｃは、固定抵抗器１１を前記可動端子Ｔ１と前記接続点Ｐとの間に接続してあることを特徴とする請求項１記載の偏向ヨークであり、
請求項３は、前記コンバーゼンス補正回路１５Ｂ，１５Ｃは、固定抵抗器を、前記第４の磁界補正コイル４及び前記第３の磁界補正コイル３のそれぞれに、直列接続してあることを特徴とする請求項１又は請求項２記載の偏向ヨークであり、
請求項４は、前記第１の磁界補正コイル１の巻数に対する前記第３の磁界補正コイル３の巻数の比率ＲＴ１及び前記第２の磁界補正コイルの巻数に対する前記第４の磁界補正コイルの巻数の比率ＲＴ２が共に０．５以上かつ１．５以下であることを特徴とする請求項１乃至３のいずれか１項に記載の偏向ヨークである。
【００２１】
【発明の実施の形態】
本発明の実施の形態を、好ましい実施例により図１〜図９，図１４及び図１５を用いて説明する。
【００２２】
図１は、本発明の偏向ヨークの実施例の回路を示す回路図であり、
図２は、本発明の偏向ヨークの別の実施例における回路を示す回路図であり、図３は、本発明の偏向ヨークの他の実施例における回路を示す回路図であり、
図４は、本発明の偏向ヨークの実施例の概略斜視図であり、
図５は、本発明の偏向ヨークのその他の実施例の概略斜視図であり、
図６は、本発明の偏向ヨークの実施例における巻き線比と補正量の変化との関係を示すグラフである。
図７は、本発明の偏向ヨークの実施例における可動端子の第１の位置での作用を示す概略断面図であり、
図８は、本発明の偏向ヨークの実施例における可動端子の第２の位置での作用を示す概略断面図であり、
図９は、本発明の偏向ヨークの実施例における可動端子の第３の位置での作用を示す概略断面図であり、
図１４は、ＹＨクロスミスコンバーゼンスを説明する図であり、
図１５は、ＶＣＲミスコンバーゼンスを説明する図である。
【００２３】
まず、本発明の実施例における回路を図１を用いて詳述する。
垂直偏向回路５６の出力には、一対の垂直偏向コイル１２，１３及び補正回路１５Ａが直列に接続される。
この補正回路１５Ａは、直列に接続した第１の磁界補正コイル１及び第２の磁界補正コイル２と、直列に接続した第４の磁界補正コイル４，３端子可変抵抗器２０の固定端子Ｔ２，Ｔ３及び第３の磁界補正コイル３とを、第１の磁界補正コイル１と第４の磁界補正コイルとを接続した並列回路とし、３端子可変抵抗器２０の可動端子Ｔ１を第１，第２の磁界補正コイル１，２の接続点Ｐに抵抗器１１を介して接続した構成とされる。
【００２４】
この図１において、電子ビームを画面上側に偏向する場合の垂直偏向電流の向きを実線の矢印Ｓ１として、また、画面下側に偏向する場合の垂直偏向電流の向きを破線の矢印Ｓ２として示している。
【００２５】
次に、この補正回路１５Ａを搭載した本発明の偏向ヨークの概略を図４を用いて説明する。
図４において、偏向ヨークは、例えば一対の半環状セパレータ５１を組み合わせることにより、一方を大径側、他方を小径側としてそれぞれにフランジ５１ａ，５１ｂを有する略漏斗状に形成されている。
セパレータ５１の内側にはサドル型の水平偏向コイル（図示せず）が装着され、外側にはサドル型の垂直偏向コイル１２，１３（図示せず）が装着される。
【００２６】
垂直偏向コイル１２，１３の外側には、フェライトで形成されたコア（図示せず）が取り付けられており、さらにその外側には、垂直偏向回路５６，３端子可変抵抗器２０及び抵抗器１１を搭載した基板５３がセパレータ５１の基板取付腕５１ｄに取り付けられている。
なお、セパレータ５１は、通常、変性ポリフェニレンエーテル（変性ＰＰＥ），ポロプロピレン（ＰＰ）等の熱可塑性樹脂よりなるものである。
【００２７】
小径側のフランジ５１ｂの中央部分には、図示していないＣＲＴ５４の管軸（Ｚ軸）方向に突出するように、複数の舌片よりなる円筒状のネック部５１ｃがフランジ５１ｂに一体成形により形成される。
この偏向ヨークは、いわゆるサドル・サドル（ＳＳ）型と呼ばれているものであり、以上のように概略構成されている。
そして、ネック部５１ｃにはめ込んだバンド（図示せず）を締め付けることによって偏向ヨークはＣＲＴ５４のネック部に装着される。
【００２８】
次に、ネック部５１ｃ付近の詳細について説明する。
小径側フランジ５１ｂのネック部５１ｃ側の面近傍には、一対の磁気コア１４Ａ，１４Ｂが、偏向ヨークの上下方向（Ｙ軸方向）にネック部５１ｃを挟むように対向して装着される。この装着はフランジ５１ｂに備えた装着手段（図示せず）によるが、他の手段で装着してもよい。
この磁気コア１４Ａ，１４Ｂは、胴部１４Ａｂ，１４Ｂｂの両端から胴部の直行方向に延在した一対の脚部１４Ａｃ，１４Ｂｃを有するコ字状に形成され、厚さ０．５ｍｍのケイ素鋼板の打ち抜き品を用いて形成される。
【００２９】
一方の磁気コア１４Ａの胴部１４Ａｂには、第１の磁界補正コイル１が巻回され、さらにその上から第３の磁界補正コイル３が巻回される。
他方の磁気コア１４Ｂの胴部１４Ｂｂには、第２の磁界補正コイル２が巻回され、さらにその上から第４の磁界補正コイル４が巻回される。
第１の磁界補正コイル１と第３の磁界補正コイル３とは、互いに同方向の磁界を発生するように巻回され、同様に、第２の磁界補正コイルと第４の磁界補正コイル４とは互いに同方向の磁界を発生するように巻回される。
磁気コア１４Ａ，１４Ｂに巻回する順番は、第３，第４の磁界補正コイル３，４が先でもよい。また、第１，第３の磁界補正コイル１，３を同時に巻回してもよく、同様に、第２、第４の磁界補正コイル２，４を同時に巻回してもよい。
各コイルの末端リードは、端子５５を介して基板５３の回路に接続される。
【００３０】
この構成における補正回路１５Ａの作用を図１及び図７〜図９を用いて詳述する。
図７は、実施例の偏向ヨークをＣＲＴ５４のネック部に装着した状態における磁気コア１４Ａ，１４Ｂを配置した位置を、スクリーン側から見た概略断面図であり、図７（ａ）〜図９（ａ）は画面の上側への偏向時、図７（ｂ）〜図９（ｂ）は画面の下側への偏向時について示している。
【００３１】
図７（ａ）及び図７（ｂ）は、３端子可変抵抗器２０の可動端子Ｔ１がセンターにある場合に、電子ビームの画面上側及び下側への偏向時に第１〜第４の磁界補正コイル１〜４が発生する磁界Ｍ１，Ｍ２と、それにより電子ビームが受ける力とその方向を示している。
図８（ａ）及び図８（ｂ）は、３端子可変抵抗器２０の可動端子Ｔ１をセンターから図１における上方向（矢印１６）に移動させた場合における、電子ビームの画面上側及び下側への偏向時に第１〜第４の磁界補正コイル１〜４が発生する磁界Ｍ１，Ｍ２と、それにより電子ビームが受ける力とその方向を示している。
図９（ａ）及び図９（ｂ）は、３端子可変抵抗器２０の可動端子Ｔ１をセンターから下方向（矢印１７）に移動させた場合における、電子ビームの画面上側及び下側への偏向時に第１〜第４の磁界補正コイル１〜４が発生する磁界と、それにより電子ビームが受ける力とその方向を示している。
図７〜図９において、磁界Ｍ１，Ｍ２の強さは、理解を容易にするため便宜的に弱，基準，強の３段階にしてそれぞれ破線，実線，太実線で表している。
【００３２】
３端子可変抵抗器２０の可動端子Ｔ１がセンターにある場合は、偏向電流が矢印Ｓ１，Ｓ２のいずれの方向に流れても第１，第２の磁界補正コイル１，２に流れる電流は等しくなる。
従って、図７（ａ），図７（ｂ）に示すような上下対称のピンクッション磁界Ｍ１，Ｍ２が発生する。
【００３３】
この磁界Ｍ１，Ｍ２は、例えば図７（ａ）に示す画面上側偏向時において、Ｒの電子ビームに対して磁界Ｍ１はＸ軸の負方向の力を与え、磁界Ｍ２は正方向の力を与える。Ｂの電子ビームに対しては、磁界Ｍ１はＸ軸の正方向の力を与え、磁界Ｍ２は負方向の力を与える。
しかしながら、各電子ビームに与えられるこれらのＸ軸方向の力は、強さが同じで互いに打ち消し合うのでＲ，Ｂの電子ビームはＸ軸方向には変化しない。
画面下側偏向時は正負逆方向となるが同様である。
そのため、ＹＨクロスミスコンバーゼンスの補正は行われないが、中央のＧの電子ビームに対してＲ，Ｂの電子ビームよりも強いＹ軸方向の力を与えるので、ＶＣＲナローミスコンバーゼンスは補正される。
【００３４】
次に、３端子可変抵抗器２０の可動端子Ｔ１を図１の矢印１６の方向（図の上方向）に移動させると、第２の磁界補正コイル２に流れる電流よりも、第１の磁界補正コイル１に流れる電流のほうが少なくなる。この少なくなった分の電流は第４の磁界補正コイル４に流れる。
従って、この場合の磁界Ｍ１，Ｍ２は、第１の磁界補正コイル１側の磁界Ｍ１が弱まり、第２の磁界補正コイル２側の磁界Ｍ２が強まった図８（ａ），図８（ｂ）に示すような上下非対称のピンクッション磁界となるが、トータルとしてのピンクッション磁界の強さに変化はなく、ＶＣＲナローミスコンバーゼンスの補正効果が減少することはない。
【００３５】
そして、画面上側への偏向時（図８（ａ）参照）は、各電子ビームは、Ｙ軸の正方向に偏向されると共に、Ｒの電子ビームはＸ軸の正方向（図の右方向）に、Ｂの電子ビームはＸ軸の負方向（図の左方向）にそれぞれ偏向される。
また、画面下側への偏向時（図８（ｂ）参照）は、各電子ビームは、Ｙ軸の負方向に偏向されると共に、Ｒの電子ビームはＸ軸の負方向に、Ｂの電子ビームはＸ軸の正方向にそれぞれ偏向される。
従って、これらの偏向により、図１４（ａ）に示すＲ（赤）左倒れミスコンバーゼンスを補正することができる。
【００３６】
一方、３端子可変抵抗器２０の可動端子Ｔ１を図１の矢印１７の方向（図の下方向）に移動させると、第１の磁界補正コイル１に流れる電流よりも、第２の磁界補正コイル２に流れる電流の方が少なくなる。この少なくなった分の電流は第３の磁界補正コイル３に流れる。
従って、この場合の磁界Ｍ１，Ｍ２は、第２の磁界補正コイル２側の磁界Ｍ２が弱まり、第１の磁界補正コイル１側の磁界Ｍ１が強まった図９（ａ），図９（ｂ）に示すような上下非対称なピンクッション磁界となるが、トータルとしてのピンクッション磁界の強さに変化はなく、ＶＣＲナローミスコンバーゼンスの補正効果が減少することはない。
【００３７】
そして、画面上側への偏向時（図９（ａ）参照）は、各電子ビームは、Ｙ軸の正方向に偏向されると共に、Ｒの電子ビームはＸ軸の負方向（図の左方向）に、Ｂの電子ビームはＸ軸の正方向（図の右方向）にそれぞれ偏向される。
また、画面下側への偏向時（図９（ｂ）参照）は、各電子ビームは、Ｙ軸の負方向に偏向されると共に、Ｒの電子ビームはＸ軸の正方向に、Ｂの電子ビームはＸ軸の負方向にそれぞれ偏向される。
従って、これらの偏向により、図１４（ｂ）に示すＲ（赤）右倒れミスコンバーゼンスを補正することができる。
以上説明したように、本実施例によれば、ＹＨクロスミスコンバーゼンスを調整してもＶＣＲナローミスコンバーゼンスが新たに発生することはない。
【００３８】
ところで、補正回路は上述の補正回路１５Ａに限る物ではなく、例えば、図２に示す別の補正回路１５Ｂを用いてもよい。
この補正回路１５Ｂは、上述した補正回路１５Ａに対して抵抗器１１を削除し、抵抗器５，６を第４，第３の磁界補正コイル４，３にそれぞれ直列に接続したものである。
【００３９】
また、図３に示すような他の補正回路１５Ｃを用いてもよい。
この補正回路１５Ｃは、上述した補正回路１５Ａに対して、抵抗器５，６を第４，第３の磁界補正コイル４，３にそれぞれ直列に接続したものである。
これらの補正回路１５Ｂ，１５Ｃは、第１，第２の磁界補正コイル１，２の抵抗値に比べて第３，第４の磁界補正コイル３，４の抵抗値が小さい場合、第３，第４の磁界補正コイル３，４に流れる過剰な電流を適正化するために有効な構成である。以上説明した補正回路１５Ａ〜１５Ｃの内、使用する抵抗器の数が少ない補正回路１５Ａが最も安価にできて好ましい構成である。
【００４０】
以上説明した構成において、第１，第２の磁界磁界コイル１，２と、第３，第４の磁界磁界コイル３，４との巻数の比率を変えると、ＹＨクロスミスコンバーゼンス補正時におけるＶＣＲミスコンバーゼンスの補正量が変わることが判明した。
具体的には、第３，第４の磁界補正コイル３，４の巻数比率を第１，第２の磁界磁界コイル１，２の巻数に対して減少させると、補正効果が弱くなって図１５（ａ）に示すようなＶＣＲナローミスコンバーゼンスになり、巻数比率を増加させると補正効果が強調されて図１５（ｂ）に示すようなＶＣＲワイドミスコンバーゼンスとなることがわかった。
【００４１】
そこで、発明者らがさらに鋭意検討実験した結果、磁界補正コイル１に対する第３の磁界補正コイル３の巻数比ＲＴ１及び第２の磁界補正コイル２に対する第４の磁界補正コイル４の巻数比ＲＴ２を、共に０．５以上かつ１．５以下の範囲に設定しておくことで、ＹＨクロスミスコンバーゼンス補正時のＶＣＲミスコンバーゼンス補正量の変化を十分抑制し、新たなＶＣＲミスコンバーゼンスを発生させずにＹＨクロスミスコンバーゼンスを良好に補正を行うことができることを見いだした。
【００４２】
ＶＣＲミスコンバーゼンスの補正量変化と巻数比ＲＴ１，ＲＴ２との関係を図６に示す。当図において、横軸は巻数比ＲＴ１，ＲＴ２であり、縦軸がＶＣＲミスコンバーゼンス補正量の変化である。
実験に供した補正回路は図１に示す補正回路１４Ａであり、各部材の仕様は以下の通りである。
３端子可変抵抗器２０：２０Ω
抵抗器１１：２．７Ω
第１，第２の磁界補正コイル１，２：線径０．３０ｍｍ
第３，第４の磁界補正コイル３，４：線径０．３０ｍｍ
【００４３】
実験は、この補正回路１４Ａにおいて、第１，第２の磁界補正コイル１，２の巻数を６５ターンに固定し、第３、第４の磁界補正コイル３，４の巻数を同一の巻数で１２０，１００，８０，６５，５５，４５，３５，２５，１５，５ターンと種々変えてＶＣＲミスコンバーゼンス補正量を測定して行った。
その結果、図６に示すように、巻数比を高くするに従ってＶＣＲミスコンバーゼンスは負側（ナロー側）から正側（ワイド側）へ概ね直線的に増加することが判明した。
そして、前述したような、画面上のＶＣＲミスコンバーゼンス補正において望まれている変化量範囲−０．０３０〜＋０．０３０ｍｍを確実に得るためには、巻数比ＲＴ１，ＲＴ２を０．５以上かつ１．５以下にすればよいということが明らかになった。
【００４４】
さて、本発明の実施例は、上述した構成に限定されるものではない。
例えば、上述した実施例は、第１の磁界補正コイル１と第３の磁界補正コイル３とを磁気コア１４Ａに巻回し、第２の磁界補正コイル２と第４の磁界補正コイル４を磁気コア１４Ｂに巻回した構成であるが、各磁界補正コイルをそれぞれ独立して磁気コアに巻回してもよい。
【００４５】
具体的には、図５に示すように、第１〜第４の磁界補正コイル１〜４を、それぞれ磁気コア１４Ａ１，１４Ｂ１，１４Ａ２，１４Ｂ２に巻回し、磁気コア１４Ａ１と磁気コア１４Ａ２とを及び磁気コア１４Ｂ１と磁気コア１４Ｂ２とをそれぞれＺ軸方向に並列に配置すると共に、磁気コア１４Ａ１と磁気コア１４Ｂ１とが及び磁気コア１４Ａ２及び磁気コア１４Ｂ２とがネック部５１ｃを挟んで対向するように配置する構成である。また、磁気コア１４Ａ１，１４Ａ２あるいは磁気コア１４Ｂ１，１４Ｂ２を並列配置する順番は限定されるものではない。
【００４６】
以上説明した実施例において、補正回路１５Ａでは、抵抗器１１の抵抗値を小さくすると第３，第４の磁界補正コイル３，４に流れる電流が増えてＹＨクロスミスコンバーゼンス補正量は増加し、抵抗値を大きくすると第３，第４の磁界補正コイル３，４に流れる電流が減じてＹＨクロスミスコンバーゼンス補正量は減少する。
従って、抵抗器１１の抵抗値を調整することで、ＹＨクロスミスコンバーゼンス補正量を変えることができ、任意の補正量が必要な場合には抵抗器１１を可変抵抗にしてもよい。
【００４７】
一方、補正回路１５Ｂ又は補正回路１５Ｃでは、抵抗器５，６又は抵抗器５，６，１１の抵抗値を小さくすると第３，第４の磁界補正コイル３，４に流れる電流が増えてＹＨクロスミスコンバーゼンス補正量は増加し、抵抗値を大きくすると第３，第４の磁界補正コイル３，４に流れる電流が減じてＹＨクロスミスコンバーゼンス補正量は減少する。
従って抵抗器５，６又は抵抗器５，６，１１の抵抗値を調整することで、ＹＨクロスミスコンバーゼンス補正量を変えることができ、任意の補正量が必要な場合は抵抗器５，６又は抵抗器５，６，１１を可変抵抗にしてもよい。
【００４８】
偏向ヨークはＳＳ型に限らず、サドル・トロイダル（ＳＴ）型の偏向ヨークであってもよい。セパレータ５１は半環状の一対ではなく一体として形成してもよく、さらに小径側フランジ５１ｂやネック部５１ｃは別体として構成してもよい。そして、これらの例以外でも、本発明の要旨を逸脱しない範囲において変更が可能である。
【００４９】
【発明の効果】
以上詳述したように、本願発明によれば、ＶＣＲナローミスコンバーゼンスを発生させずにＹＨクロスミスコンバーゼンスの補正が可能になる効果を得る。
【図面の簡単な説明】
【図１】本発明の偏向ヨークの実施例における回路を示す回路図である。
【図２】本発明の偏向ヨークの別の実施例における回路を示す回路図である。
【図３】本発明の偏向ヨークの他の実施例における回路を示す回路図である。
【図４】本発明の偏向ヨークの実施例の概略斜視図である。
【図５】本発明の偏向ヨークのその他の実施例の概略斜視図である。
【図６】本発明の偏向ヨークの実施例における巻き線比と補正量の変化との関係を示すグラフである
【図７】本発明の偏向ヨークの実施例における可動端子の第１の位置での作用を示す概略断面図である。
【図８】本発明の偏向ヨークの実施例における可動端子の第２の位置での作用を示す概略断面図である。
【図９】本発明の偏向ヨークの実施例における可動端子の第３の位置での作用を示す概略断面図である。
【図１０】従来の偏向ヨークの回路の一例を示す回路図である。
【図１１】従来の偏向ヨークにおける作用を示す概略断面図である。
【図１２】従来の偏向ヨークにおける作用を示す概略断面図である。
【図１３】従来の偏向ヨークにおける作用を示す概略断面図である。
【図１４】ＹＨクロスミスコンバーゼンスを説明する図である。
【図１５】ＶＣＲミスコンバーゼンスを説明する図である。
【図１６】従来の偏向ヨークの一例を示す概略斜視図である。
【符号の説明】
１〜４　第１〜第４の磁界補正コイル
５，６，１１　抵抗器
１２，１３　垂直偏向コイル
１４Ａ，１４Ｂ，１４Ａ１，１４Ａ２，１４Ｂ１，１４Ｂ２　磁気コア
１４Ａｂ，１４Ｂｂ　胴部
１５Ａ，１５Ｂ，１５Ｃ　補正回路
２０　３端子可変抵抗器
５１　セパレータ
５１ａ，５１ｂ　フランジ
５１ｃ　ネック部
５１ｄ　取付腕
５３　基板
５４　ＣＲＴ
５５　端子
５６　垂直偏向回路
Ｍ１，Ｍ２　磁界
Ｐ　接続点
Ｔ１　可動端子
Ｔ２，Ｔ３　固定端子
ＲＴ１，ＲＴ２　巻数比
【図１】
2004040158.tif 000003
【図２】
2004040158.tif 000004
【図３】
2004040158.tif 000005
【図４】
2004040158.tif 000006
【図５】
2004040158.tif 000007
【図６】
2004040158.tif 000008
【図７】
2004040158.tif 000009
【図８】
2004040158.tif 000010
【図９】
2004040158.tif 000011
【図１０】
2004040158.tif 000012
【図１１】
2004040158.tif 000013
【図１２】
2004040158.tif 000014
【図１３】
2004040158.tif 000015
【図１４】
2004040158.tif 000016
【図１５】
2004040158.tif 000017
【図１６】
2004040158.tif 000018